(57)【要約】【課題】遊技機において、遊技機本体部と前面枠とをロックするロック爪の移動距離を短縮してロック機構の小型化を図る。【解決手段】遊技機本体部３ａに開閉可能に軸支され、遊技機本体部３ａの前面を覆う前面枠５０と、遊技機本体部３ａにスライド移動可能に設けられ、鉤部３５ｂならびに傾斜部３５ｃをスライド移動の方向において相互に反対となる位置に備えたロック爪３５と、前面枠５０に設けられ、鉤部３５ｂと係合する係合部４０ならびに鉤部３５ｂと係合部４０との係合が解除された場合に傾斜部３５ｃに当接して前面枠５０を開方向に移動させる当接部４０−１を備えた受け部２８とを有する。そして、傾斜部３５ｃと当接部４０−１との当接位置が鉤部３５ｂと係合部４０との係合位置よりも受け部２８が設けられた側になるように係合部４０と当接部４０−１とを配置する。【選択図】        図１５
2007029338.tif 000002
【特許請求の範囲】
【請求項１】
島設備側に取り付けられたベース枠に開閉可能に軸支され、前記ベース枠の前面を覆う前面枠と、
前記ベース枠および前記前面枠の何れか一方においてスライド移動可能に設けられ、鉤部ならびに傾斜部を前記スライド移動の方向において相互に反対となる位置に備えたロック爪と、
前記ベース枠および前記前面枠の何れか他方に設けられ、前記鉤部と係合する係合部、ならびに前記鉤部と前記係合部との係合が解除された場合に前記傾斜部に当接して前記前面枠を開方向に移動させる当接部、を備えた受け部と、
を有し、
前記傾斜部と前記当接部との当接位置が前記鉤部と前記係合部との係合位置よりも前記ベース枠および前記前面枠の前記受け部が設けられた側になるように前記係合部と前記当接部とを配置した
ことを特徴とする遊技機。
【請求項２】
前記当接部は、前記傾斜部と対応する角度に傾斜して前記受け部に形成されていることを特徴とする請求項1記載の遊技機。
【請求項３】
前記受け部は、金属板よりなり、当該受け部の設けられた前記ベース枠または前記前面枠に面接触して固定されるベース部を備え、前記係合部および前記当接部が前記ベース部から切り起こして形成されたことを特徴とする請求項１または２記載の遊技機。
【発明の詳細な説明】
【技術分野】
【０００１】
本発明は遊技機に関し、特に島設備側に取り付けられたベース枠に対してその前面を覆う前面枠を開閉可能にするロック機構に関するものである。
【背景技術】
【０００２】
遊技機は、島設備側に取り付けられる木製枠に、主な電子部品が搭載され、木製枠の前面を覆う遊技機本体部が開閉自在に軸支され、木製枠と遊技機本体部とでベース枠が構成されている。そして、遊技機本体部には、その前面を覆うガラスの嵌め込まれたガラス枠が開閉自在に軸支されている。
【０００３】
ここで、従来の遊技機では、ガラス枠に上下方向に形成されたスリットにベース枠である遊技機本体部に設けられたロック爪が入り込み、スリットの一端側にロック爪が係合してロック状態になる。そして、ロック解除状態では、ロック爪の上下方向への移動によりロック爪の斜面がスリットの他端側に当接してガラス枠を前方に少し押し出すようになっている（例えば、特開平１０−２０１９２６号公報）。
【特許文献１】特開平１０−２０１９２６号公報
【発明の開示】
【発明が解決しようとする課題】
【０００４】
このような従来の遊技機におけるロック機構では、ロック状態時でのロック爪とガラス枠に形成されたスリットの一端側との係合する位置と、ロック解除時でのロック爪の斜面とスリットの他端側との当接する位置とが、ガラス枠の開閉方向では同位置となっている。したがって、ロック爪を上下方向へ移動させてガラス枠との係合を解き、さらに当該ロック爪を続けて移動させてその斜面をスリットの他端側に当接させながらガラス枠を前方に押し出すためには、必然的にロック爪の移動距離が長くなり、斜めに移動させる必要があったので（特許文献１の図１０（ｂ）参照）、ロック機構の大型化につながっていた。
【０００５】
そこで、本発明は、ベース枠と前面枠とをロックするロック爪の移動距離を短縮してロック機構の小型化を図ることのできる遊技機を提供することを目的とする。
【課題を解決するための手段】
【０００６】
上記課題を解決するため、請求項１に記載の本発明の遊技機は、島設備側に取り付けられたベース枠に開閉可能に軸支され、ベース枠の前面を覆う前面枠と、ベース枠および前面枠の何れか一方においてスライド移動可能に設けられ、鉤部ならびに傾斜部をスライド移動の方向において相互に反対となる位置に備えたロック爪と、ベース枠および前面枠の何れか他方に設けられ、鉤部と係合する係合部、ならびに鉤部と係合部との係合が解除された場合に傾斜部に当接して前面枠を開方向に移動させる当接部、を備えた受け部と、を有し、傾斜部と当接部との当接位置が鉤部と係合部との係合位置よりもベース枠および前面枠の受け部が設けられた側になるように係合部と当接部とを配置したことを特徴とする。
【０００７】
これにより、ロック爪の傾斜部と受け部の当接部との当接位置がロック爪の鉤部と受け部の係合部との係合位置よりもベース枠および前面枠の受け部が設けられた側になるように係合部と当接部とを配置したので、傾斜部が当接部と当接してから当接部と離間するまでに要するロック爪の移動距離が短縮され、すなわち、ベース枠と前面枠とをロックするロック爪の移動距離を短縮され、ロック機構の小型化を図ることが可能になる。
【０００８】
請求項２に記載の本発明は、請求項１記載の発明の構成に加えて、当接部は、傾斜部と対応する角度に傾斜して受け部に形成されていることを特徴とする。
【０００９】
これにより、当接部の傾斜角により前面枠を開放方向に移動させる速度を変えることができるので、当接部の傾斜角を適宜選定することにより、ロック解除時における前面枠の開放スピードを容易に設定することが可能になる。
【００１０】
請求項３に記載の本発明は、請求項１または２記載の発明の構成に加えて、受け部は、金属板よりなり、当該受け部の設けられたベース枠または前面枠に面接触して固定されるベース部を備え、係合部および当接部がベース部から切り起こして形成されたことを特徴とする。
【００１１】
これにより、傾斜部と当接部との当接位置や鉤部と係合部との係合位置を容易に設定することができ、しかも鉤部と係合部との固定が安定する。
【発明の効果】
【００１２】
本発明によれば以下の効果を奏することができる。
【００１３】
すなわち、本発明によれば、ロック爪の傾斜部と受け部の当接部との当接位置がロック爪の鉤部と受け部の係合部との係合位置よりもベース枠および前面枠の受け部が設けられた側になるように係合部と当接部とを配置したので、ベース枠と前面枠とをロックするロック爪の移動距離を短縮でき、ロック機構の小型化を図ることが可能になる。
【発明を実施するための最良の形態】
【００１４】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１５】
図１は本発明の一実施の形態である遊技機を示す斜視図、図２は図１に示した遊技機の正面図、図３は本発明の一実施の形態である遊技機の前面枠を背面側から示す斜視図、図４は前面枠に取り付けられた受け部を示す斜視図、図５は前面枠に取り付けられた受け部に形成された上側係合部および当接部を示す斜視図、図６は前面枠に取り付けられた受け部に形成された中央係合部および当接部を示す斜視図、図７は前面枠に取り付けられた受け部に形成された下側係合部および当接部を示す斜視図、図８は本発明の一実施の形態である遊技機の遊技機本体を示す斜視図、図９は遊技機本体部に取り付けられた施錠装置を示す斜視図、図１０は遊技機本体部に取り付けられた施錠装置に形成された上側ロック爪を示す斜視図、図１１は遊技機本体部に取り付けられた施錠装置に形成された中央ロック爪を示す斜視図、図１２は遊技機本体部に取り付けられた施錠装置に形成された下側ロック爪を示す斜視図、図１３は受け部と施錠装置との係合状態を側面方向から示す図、図１４は施錠装置に設けられた上側ロック爪と受け部に設けられた上側係合部との係合状態を示す図、図１５は施錠装置の第２の可動錠板をスライド移動させたときの上側ロック爪と上側係合部との関係を示す図、図１６は施錠装置の第２の可動錠板を図１５に示す場合よりもさらにスライド移動させたときの上側ロック爪と上側係合部との関係を示す図、図１７は施錠装置の第２の可動錠板を図１６に示す場合よりもさらにスライド移動させて前面枠が開いたときのたときの上側ロック爪と上側係合部との関係を示す図である。
【００１６】
図１および図２に示すように、パチンコ遊技機（遊技機）１は、遊技盤２（図２）が装着される遊技機本体部３ａがヒンジ３ｃ（図４）を介して島設備に固定される枠体３ｂに回動可能に取り付けられ（すなわち、遊技機本体部３ａは、遊技機本体部３ａの一方端を回動支点として支持されて当該枠体３ｂに開閉自在に支持されて装着される。）、これら遊技機本体部３ａおよび枠体３ｂで遊技機本体（ベース枠）３が構成されている。そして、このような遊技機本体３の遊技機本体部３ａに対して、スピーカ８ａ，８ｂ、液晶表示装置（ＬＣＤ）２１、遊技盤２を視認可能に被うガラス扉９、上皿部４、下皿部５、カバー６およびハンドル７が備えられている。
【００１７】
遊技盤２は、図２に示すように、レール１１に包囲され、遊技球の流下が可能な遊技領域２ａを有している。そして、その遊技領域２ａには、多数の遊技くぎや風車などの障害物（図示せず）、一般入賞口１２、通過ゲート１３、大入賞口１５、アウト口１６、始動入賞口１４，１７を有する電動役物構成部材１８からなる遊技部材が配置されている。
【００１８】
ここで、一般入賞口１２は、遊技球が入賞すると所定の数の遊技球が払い戻される装置、通過ゲート１３は、遊技球が通過したことを契機として普通図柄表示領域に表示される複数の図柄を変動および停止させるための装置、始動入賞口１７は、遊技球が入賞したことを条件として特別図柄表示領域に表示される特別図柄を変動および停止させるための装置、大入賞口１５は、特別図柄表示領域の停止時における特別図柄の組み合わせが予め設定された特定の図柄の組み合わせ（大当り表示態様）となって大当り遊技状態（大当り遊技状態とは、いわゆる大当りが発生した状態をいう。）に移行した場合に、所定の設定に従って所定条件の下所定回数だけ扉が開閉（すなわち、所定時間内に大入賞口１５の特定領域を通過する遊技球数が１以上である場合に限り（いわゆるパンクが発生しない限り）所定回数だけ大入賞口１５が開放し、遊技球を受け入れ易い開放状態と、受け入れ難い閉鎖状態とに所定回数だけ変化する。なお、開放状態と閉鎖状態とに変化する動作をラウンド動作という。）するように制御される装置である。
【００１９】
また、アウト口１６は、一般入賞口１２、始動入賞口１４，１７、大入賞口１５の何れにも入賞しなかった遊技球が流入して回収される装置である。
【００２０】
上記通過ゲート１３は、通過する遊技球を検出するようになっている。この通過ゲート１３を通過した遊技球は通過記憶情報として記憶されるようになっており、この通過記憶情報に基づいて、普通図柄表示領域における図柄の変動表示が行なわれる。また、遊技領域２ａの右側上部には、通過ゲート１３の通過記憶個数を表示する４個の普通図柄記憶ＬＥＤ（図示せず）が設けられている。この普通図柄記憶ＬＥＤの点灯個数により、通過ゲート１３を通過した遊技球の通過記憶個数を表示することができる。
【００２１】
上記普通図柄表示領域では、例えば２個の普通図柄が交互に点滅するようになっており、２個の普通図柄の点滅が終了して「当り」が表示された場合に、電動役物構成部材１８に設けられた始動入賞口１７が、所定時間だけ遊技球を受け入れ易い状態に切り換わる。
【００２２】
なお、上記普通図柄表示領域の替わりに、遊技盤２の任意の場所に２個の普通図柄表示ＬＥＤを備え、このＬＥＤの点滅により「当り」を表示してもよい。また、この２個の普通図柄表示ＬＥＤを例えば７セグメント表示器等により構成することもできる。この場合には、７セグメント表示器に表示する普通図柄として、例えば「０」、「１」、「２」、・・・「７」、「８」、「９」等の数字を変動表示し、停止表示された数字が「３」あるいは「７」となった場合を「当り」とする。
【００２３】
上記始動入賞口１７は、遊技球を受け入れる受け入れ口を有しており、遊技球を受け入れ易い状態と、遊技球を受け入れ難い状態との間で切換可能な開閉機構を備えた装置である。この始動入賞口１７は、通常の状態では遊技球を受け入れ難い状態となっており、所定の条件が成立した場合（例えば、普通図柄表示領域の普通図柄が、「当り」を意味する図柄で停止した場合）に、所定時間（例えば、０．３秒間）だけ開いて遊技球を受け入れ易い状態に切り換えられる。なお、当該受け入れ口に遊技球が入賞すると所定の数の遊技球が払い戻される。
【００２４】
また、始動入賞口１４，１７への入賞球は入賞記憶可能となっており、この入賞記憶に基づいて、特別図柄表示領域における特別図柄の変動表示が行なわれる。遊技領域２ａの中央部には、始動入賞口１４，１７への入賞記憶個数を表示する４個の特別図柄記憶ＬＥＤ（図示せず）が設けられている。この特別図柄記憶ＬＥＤの点灯個数により、始動入賞口１４，１７への入賞記憶個数を表示することができる。
【００２５】
また、特別図柄表示領域に表示される特別図柄は、例えば「０」、「１」、「２」・・・「９」等の３列の数字からなり、始動入賞口１７へ遊技球が入賞することを契機としてこれらの数字が変動表示されるようになっている。なお、これらの数字の変動表示が終了し、その変動表示結果（すなわち、停止表示された数字の組み合わせ。停止図柄ともいう。）が『「０」「０」「０」』、『「７」「７」「７」』等のように３個とも同一の数字となった場合の特別図柄の組み合わせを大当り表示態様（大当り図柄）という。この大当り表示態様は、遊技状態が、通常遊技状態と比較して遊技者に有利な大当り遊技状態に移行したこと（すなわち「大当り」となったこと）を遊技者に認識させるための表示態様である。なお、大当り表示態様以外の変動表示結果を非大当り表示態様（はずれ図柄）という。
【００２６】
また、大当り遊技状態とは、例えば大入賞口ＳＯＬが、大入賞口１５の扉を所定回数だけ開閉することで、通常遊技状態よりも多くの遊技球を入賞させやすくする遊技状態のことである。
【００２７】
なお、大当り遊技状態に移行したことを遊技者に認識させるための上記大当り表示態様は、確率変動大当りを示す表示態様である特別表示態様（確変大当り図柄）と、通常の大当りを示す表示態様である非特別表示態様（通常大当り図柄）とに分かれている。
【００２８】
また、特別表示態様は、「７」や「３」等の所定の数字が３個揃った場合をいい、一方、非特別表示態様は、特別表示態様以外の数字や図柄が３個揃った場合をいう。
【００２９】
なお、特別図柄の変動表示結果が特別表示態様となると（すなわち、確率変動大当りとなると）、大当り遊技状態終了後、特別図柄表示領域における特別図柄の変動表示結果が大当り表示態様となる確率の高い特別遊技状態（確率変動状態）へ移行される。一方、特別図柄の表示態様が非特別表示態様となると（すなわち、通常の大当りとなると）、大当り遊技状態終了後は通常の遊技状態へ移行される。
【００３０】
なお、本実施の形態において、上述した入賞記憶個数や通過記憶個数は、それぞれ普通図柄記憶ＬＥＤ、特別図柄記憶ＬＥＤに表示されるようになっているが、これに限られず、他の表示方法により表示されてもよい。例えば、表示領域２１ａに表示されるようになっていてもよい。
【００３１】
また、遊技盤２の背面には、演出画像（例えば、遊技状態に対応したアニメーションやその他の報知情報など。以下、「演出情報画像」という。）等を表示可能な表示領域２１ａを備えた表示装置である液晶表示装置（ＬＣＤ）２１が配置されている。
【００３２】
液晶表示装置２１は、画像制御回路からの指示に基づいて任意の画像を表示領域２１ａに表示する。
【００３３】
なお、液晶表示装置２１の表示領域２１ａは、演出画像やその他の報知情報を表示する情報表示領域と、普通図柄の変動表示を行う普通図柄表示領域（普通図柄表示装置）と、特別図柄（識別図柄）の変動表示を行う特別図柄表示領域（特別図柄表示装置）とからなっている。
【００３４】
また、本実施の形態において、角形の形状をしている表示領域２１ａは、遊技領域２ａより大きくともよいし、小さくともよい。また、表示領域２１ａの形状は角形に限定されず、他の形状であってもよい。例えば、円形であってもよい。
【００３５】
また、遊技盤２が透明である本実施の形態では、液晶表示装置２１の表示領域２１ａが遊技盤２を通して視認可能に配置されている。また、液晶表示装置２１にかえて、例えばＣＲＴ（陰極線管）あるいはプラズマディスプレイ等を用いることもできる。
【００３６】
ガラス扉９および上皿部４は一体化して形成されて開閉扉である前面枠５０（図３）を形成しており、この前面枠５０は、その一端が遊技機本体部３ａに回動可能に軸支され、他端が遊技機本体部３ａに係合するようになっている。なお、ガラス扉９は、遊技盤２を視認可能に被うものである。
【００３７】
上皿部４はガラス扉９の下側に位置し、払い出された遊技球および遊技領域２ａに打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００３８】
上皿部４の下側に位置する下皿部５は、遊技機本体部３ａに固定されており、払い出しにより上皿４ａからオーバーフローした遊技球が貯留される下皿５ａを有している。
【００３９】
下皿部５の右側に設けられたハンドル７は、レール１１（図２）を介して遊技盤２の遊技領域２ａへ遊技球を打ち込む際に回動操作されるものであり、遊技球の発射を停止させるストップボタン（図示せず）が設けられている。
【００４０】
ガラス扉９の上側に位置するカバー６は遊技機本体部３ａに固定されており、カバー６の左右の部位６ａ，６ｂは、遊技機本体部３ａに設けられる左右のスピーカ８ａ，８ｂにそれぞれ対応しており、スピーカ８ａ，８ｂからの音声が聞こえるような構造になっている。スピーカ８ａ，８ｂは、所定の音（例えば、遊技状態に対応した音楽やその他の報知情報など）を出力する機能を有している。
【００４１】
前面枠５０は、図３に示すように、扉ベース２６、装飾部材２７、受け部２８、補強板２９、およびガラス板取付枠３０（３０ａ，３０ｂ，３０ｃ）の複数の構成要素からなっている。
【００４２】
扉ベース２６は、前面の下方領域に上皿４ａが取り付けられる上皿取付スペースが設けられるとともに、その上皿取付スペースの上方には遊技盤２の遊技領域２ａが臨む開口２６ａが形成されており、正面から見て矩形状になっている。
【００４３】
また、本実施の形態では、前面枠５０の開閉側に上下方向に配置された開閉側ガラス板取付枠３０ａの下方領域である扉ベース２６の裏面下側には、遊技機の奥行き方向に直交して突出するように突設部３１を備えている。この突設部３１は、受け部２８に形成された下側係合部４２（後述する）と対向する位置に近接して突設されている。なお、本実施の形態では、突設部３１は下側係合部４２よりも奥行き方向に背の高い立方体状に突設され、上下方向の幅も下側係合部４２と比して大きく形成されている。
【００４４】
装飾部材２７は、扉ベース２６の開口２６ａの外周縁を覆い、さらに上皿取付スペースに取り付けられる上皿部４ａの側方を装飾している。装飾部材２７は扉ベース２６の前面に取り付けられており、光による演出装置としてのランプ飾り（図示せず）が備えられている。
【００４５】
扉ベース２６における開閉側前面に上下方向に取り付けられた受け部２８は、図４に示すように、同軸上に配された上側の長尺細板部２８ａおよび下側の短尺細板部２８ｂと、この長尺細板部２８ａと短尺細板部２８ｂとの間に一体に形成されてシリンダ錠３４ａ−１（後述する）を回避する湾曲板部２８ｃとで長尺状に形成されている。この受け部２８には、長尺細板部２８ａの裏面上端寄りと略中央および短尺細板部２８ｂの裏面に、それぞれ先端が横方向に略９０°屈曲された係合部（上側係合部４０、中央係合部４１、下側係合部４２）が突設されている。また、各係合部４０，４１，４２の下側近傍には、所定の角度に傾斜した斜面を有する当接部４０−１，４１−１，４２−１が、裏面からそれぞれ突設されている。
【００４６】
このような受け部２８は、扉ベース２６の高さ方向長さと略同一長さに全体が金属板をもって形成されており、受け部２８の設けられた前面枠５０に面接触して固定されるベース部２８−１を備え、前述した係合部４０，４１，４２および当接部４０−１，４１−１，４２−１はベース部２８−１から切り起こして形成されている。
【００４７】
そして、係合部４０，４１，４２および当接部４０−１，４１−１，４２−１を扉ベース２６の裏面側に突出させるようにして扉ベース２６の前面側部に取り付けられる。
【００４８】
扉ベース２６における回動軸側前面に上下方向に取り付けられた補強板２９は、扉ベース２６の高さ方向長さと略同一長さを有する金属材料をもって長尺細板に形成され、その上端に回動軸１０となるヒンジピン２９ａを上下方向に移動可能に配設する取付部材（図示せず）が一体に備えられている。そして、取付部材を装飾部材２７側に向けて補強板２９が扉ベース２６の前面側部に取り付けられる。
【００４９】
前面枠５０に取り付けられた上側係合部４０および当接部４０−１を図５に、中央係合部４１および当接部４１−１を図６に、下側係合部４２および当接部４２−１を図７に、それぞれ示す。
【００５０】
さて、ガラス板取付枠３０は、扉ベース２６の裏面に一体に突設されており、ガラス板４３を着脱可能に嵌装する構成を有している。すなわち、端部が開放された２本の平行なレールが枠内面側にて扉ベース２６の高さ方向にわたる連続した溝形状に構成されている。
【００５１】
本実施の形態では、ガラス板取付枠３０は、扉ベース２６裏面の開閉側に突出して遊技機の高さ方向にわたって備えた樹脂製の開閉側ガラス板取付枠３０ａと、扉ベース２６裏面の回動軸側に突出して遊技機の高さ方向にわたって備えた樹脂製の回動軸側ガラス取付枠３０ｂと、扉ベース２６裏面の下部分側に突出して備えた金属製の下部側ガラス取付枠３０ｃとで構成されている。そして、ガラス扉９の上部分を開放することにより、ガラス板４３がガラス板取付枠３０のレールに嵌装されるようになっている。
【００５２】
なお、本実施の形態では、開閉側ガラス板取付枠３０ａおよび回動軸側ガラス取付枠３０ｂが樹脂製で、下部側ガラス取付枠３０ｃが金属製になっているが、これに限定されるものではない。
【００５３】
そして、本実施の形態では、図３に示すように、開閉側ガラス板取付枠３０ａの背面における長さ方向の略中心位置に、移動補助部材２５が横方向（水平方向）に摺動可能に挿入配設する移動補助部材用貫通孔２５ａが外面側から内面側に貫通して設けられている。
【００５４】
移動補助部材２５は、図３に示すように、開閉側ガラス板取付枠３０ａに設けられた移動補助部材用貫通孔２５ａに、横方向にスライド可能（開閉側から回動軸１０側に向けてスライド可能）に備えられており、上方から嵌装されたガラス板４３を、回動軸側へと押圧して摺動させてぐらつきを規制している。
【００５５】
なお、本実施の形態では、２枚のガラス板４３，４３が前後に所定の間隔をあけてそれぞれ着脱可能にガラス板取付枠３０に保持されているが、ガラス板の枚数は１枚あるいは３枚以上であってもよい。
【００５６】
図８に示すように、遊技機本体部３ａには、前面枠５０に設けられた受け部２８と連携して前面枠５０を遊技機本体部３ａに対して開閉可能に施錠するロック爪３５，３６，３７を備えた施錠装置３４が取り付けられている。
【００５７】
図９に詳しく示すように、施錠装置３４は基枠３４ａを有しており、この基枠３４ａには、枠体３ｂと係合する２つの後方に突出した係合爪３８ａ，３８ｂを備えた第１の可動錠板３８と、前面枠５０と係合する３つの前方に突出したロック爪３５，３６，３７および後方に突出した操作片３９ａを備えた第２の可動錠板３９とが、それぞれ上下方向にスライド移動可能に取り付けられている。
【００５８】
これらの可動錠板３８，３９は、何れも引っ張りバネ（図示せず）により相手側にロックした状態となる位置（第１の位置）に保持されている。そして、第１の可動錠板３８は、シリンダ錠３４ａ−１に鍵を差し込んでこれを一方向に回すことにより、バネ力に抗して上方向にスライド移動して枠体３ｂから開放可能な位置（第２の位置）になる。また、第２の可動錠板３９は、シリンダ錠３４ａ−１に鍵を差し込んでこれを前述とは反対方向に回すか、あるいは操作片３９ａを押し下げることにより、バネ力に抗して下方向にスライド移動してガラス扉４が開放可能な位置（第２の位置）になる。
【００５９】
さて、ロック爪３５，３６，３７は、遊技機本体部３ａの前面開放側（図８で向かって右側）の側縁に備えられ、第２の可動錠板３９の前面に、遊技機の高さ方向に所定間隔をあけて一体に突設された上側ロック爪３５、中央ロック爪３６および下側ロック爪３７からなり、これらのロック爪３５，３６，３７の上下移動長に対応した大きさで基枠３４ａに形成された開口３４ａ−２に移動自在にはめ込まれている。
【００６０】
それぞれのロック爪３５，３６，３７は、第２の可動錠板３９の前面から前方に向けて突設された平板部３５ａ，３６ａ，３７ａと、この平板部３５ａ，３６ａ，３７ａの先端に上向き（遊技機の高さ方向で上向き）に突出形成された鉤部３５ｂ，３６ｂ，３７ｂと、第２の可動錠板のスライド移動の方向において鉤部３５ｂ，３６ｂ，３７ｂと反対となる位置（ここでは、平板部３５ａ，３６ａ，３７ａの先端に下向き）に形成された傾斜部３５ｃ，３６ｃ，３７ｃとを備えている。
【００６１】
上側ロック爪３５を図１０に、中央ロック爪３６を図１１に、下側ロック爪３７を図１２に、それぞれ示す。
【００６２】
さて、鉤部３５ｂ，３６ｂ，３７ｂは前述した受け部２８に形成された係合部４０，４１，４２と係合可能になっており、両者が係合することにより前面枠５０が遊技機本体部３ａに施錠される。また、前述した受け部２８に形成された当接部４０−１，４１−１，４２−１は傾斜部３５ｃ，３６ｃ，３７ｃと対応する角度（すなわち、前面枠５０の開放過程における当接部４０−１，４１−１，４２−１での当接位置が変化するような角度）に傾斜しており、傾斜部３５ｃ，３６ｃ，３７ｃは、鉤部３５ｂ，３６ｂ，３７ｂと係合部４０，４１，４２との係合が解除された場合に、スライド移動により当接部４０−１，４１−１，４２−１に当接可能になっている。
【００６３】
したがって、前面枠５０が遊技機本体部３ａに閉鎖された状態においては、施錠装置３４の鉤部３５ｂ，３６ｂ，３７ｂが受け部２８の係合部４０，４１，４２（詳しくは、係合部４０，４１，４２の先端の屈曲された部位）に係合して前面枠５０が施錠される（図１３参照）。
【００６４】
このような閉鎖状態から第２の可動錠板３９をスライド移動させると、ロック爪３５，３６，３７が移動して鉤部３５ｂ，３６ｂ，３７ｂが係合部４０，４１，４２から離間し、両者の係合が解かれて前面枠は解錠される。これとともに、傾斜部３５ｃ，３６ｃ，３７ｃが当接部４０−１，４１−１，４２−１に当接し、傾斜部分同士が擦れ合いながら移動することで、解錠された前面枠５０を開方向（図１３〜図１７において横向きの矢印で示す方向）に移動させる（押し広げる）。
【００６５】
ここで、図１４〜図１７に示すように、遊技機本体部３ａに取り付けられた施錠装置３４における上側ロック爪３５の傾斜部３５ｃと前面枠５０に取り付けられた受け部２８に設けられた当接部４０−１との当接位置Ａ１が、上側ロック爪３５の鉤部３５ｂと受け部２８に設けられた上側係合部４０との係合位置Ａ２よりも受け部２８が設けられた側になるように、上側係合部４０と当接部４０−１とが配置されている。
【００６６】
なお、図示されていないが、中央ロック爪３６の傾斜部３６ｃと当接部４１−１との当接位置も、中央ロック爪３６の鉤部３６ｂと中央係合部４１との係合位置よりも受け部２８が設けられた側になるように、中央係合部４１と当接部４１−１とが配置されている。同様に、下側ロック爪３７の傾斜部３７ｃと当接部４２−１との当接位置も、下側ロック爪３７の鉤部３７ｂと下側係合部４２との係合位置よりも受け部２８が設けられた側になるように、下側係合部４２と当接部４２−１とが配置されている。
【００６７】
さて、上側係合部４０と当接部４０−１とがこのように配置されていると、前面枠５０が遊技機本体部３ａに閉鎖され、図１４に示すように上側ロック爪３５と上側係合部４０とが係合している状態から第２の可動錠板３９をスライド移動させると、図１５に示すように、上側ロック爪３５が移動して鉤部３５ｂが上側係合部４０から離間し、続いて上側ロック爪の傾斜部３５ｃが当接部４０−１に当接する。すなわち、傾斜部３５ｃが当接位置Ａ１に到達する。
【００６８】
そして、第２の可動錠板３９をさらにスライド移動させていくと、図１６に示すように、傾斜部３５ｃが当接部４０−１と当接しながら（擦れ合いながら）移動していくことにより受け部２８が第２の可動錠板３９から離反を始め（つまり、前面枠５０の開放が開始され）、図１７に示すように、傾斜部３５ｃが当接部４０−１と離間したときには、前面枠５０と遊技機本体部３ａとの間には指を入れられる程度の隙間、換言すれば、作業者が指を入れて前面枠５０を開けることができる程度の隙間が形成される程度になる。
【００６９】
このとき、本願では、前述のように、傾斜部３５ｃと当接部４０−１との当接位置Ａ１が、鉤部３５ｂと上側係合部４０との係合位置Ａ２よりも受け部２８が設けられた側になるように上側係合部４０と当接部４０−１とが配置されているので、傾斜部３５ｃが当接部４０−１と当接してから（つまり、図１５に示す状態になってから）、この当接部４０−１と離間するまで（つまり、図１６に示す状態を経て図１７に示す状態になるまで）に要する上側ロック爪３５の移動距離は、傾斜部３５ｃと当接部４０−１との当接位置が鉤部３５ｂと上側係合部４０との係合位置と上下方向で同じになっている場合よりも短縮されることになる。これにより、ロック機構の小型化を図ることが可能になる。
【００７０】
また、前述のように、受け部２８は金属板よりなり、係合部４０，４１，４２および当接部４０−１，４１−１，４２−１は前面枠５０に面接触して固定されるベース部２８−１から切り起こして形成されているので、傾斜部３５ｃ，３６ｃ，３７ｃと当接部４０−１，４１−１，４２−１との当接位置や鉤部３５ｂ，３６ｂ，３７ｂと係合部４０，４１，４２との係合位置を容易に設定することができ、しかも鉤部３５ｂ，３６ｂ，３７ｂと係合部４０，４１，４２との固定が安定する。
【００７１】
なお、本実施の形態では、受け部２８に形成された当接部４０−１，４１−１，４２−１はロック爪３５，３６，３７に形成された傾斜部３５ｃ，３６ｃ，３７ｃと対応する角度に傾斜しているが、必ずしも当接部４０−１，４１−１，４２−１は傾斜していなくてもよい。
【００７２】
但し、当接部４０−１，４１−１，４２−１が本実施の形態のように傾斜していれば、当接部４０−１，４１−１，４２−１の傾斜角により前面枠５０を開放方向に移動させる速度を変えることができる。これにより、当接部４０−１，４１−１，４２−１の傾斜角を適宜選定することにより、ロック解除時における前面枠５０の開放スピードを容易に設定することが可能になる。
【００７３】
ここで、本実施の形態では、前面枠５０に受け部２８が設けられ、遊技機本体部３ａにロック爪３５，３６，３７が設けられているが、逆に、前面枠５０にロック爪３５，３６，３７が設けられ、遊技機本体部３ａに受け部２８が設けられていてもよい。
【００７４】
また、本実施の形態では、ガラス扉９および上皿部４は一体化して前面枠５０が形成され、この前面枠５０がベース枠である遊技機本体３を構成する遊技機本体部３ａの前面を覆うようになっているが、遊技機本体部３ａを前面枠、枠体３ｂをベース枠とし、前面枠である遊技機本体部３ａがベース枠である枠体３ｂの前面を覆うようにしてもよい。
【産業上の利用可能性】
【００７５】
以上の説明においては、本発明を遊技機の一つであるパチンコ遊技機に適用した場合が説明されているが、本発明はこれに限定されるものではなく、パチスロ機、あるいはゲームセンターに設置された各種ゲーム機など、種々の遊技機に適用することが可能である。
【図面の簡単な説明】
【００７６】
【図１】本発明の一実施の形態である遊技機を示す斜視図である。
【図２】図１に示した遊技機の正面図である。
【図３】本発明の一実施の形態である遊技機の前面枠を背面側から示す斜視図である。
【図４】前面枠に取り付けられた受け部を示す斜視図である。
【図５】前面枠に取り付けられた受け部に形成された上側係合部および当接部を示す斜視図である。
【図６】前面枠に取り付けられた受け部に形成された中央係合部および当接部を示す斜視図である。
【図７】前面枠に取り付けられた受け部に形成された下側係合部および当接部を示す斜視図である。
【図８】本発明の一実施の形態である遊技機の遊技機本体を示す斜視図である。
【図９】遊技機本体部に取り付けられた施錠装置を示す斜視図である。
【図１０】遊技機本体部に取り付けられた施錠装置に形成された上側ロック爪を示す斜視図である。
【図１１】遊技機本体部に取り付けられた施錠装置に形成された中央ロック爪を示す斜視図である。
【図１２】遊技機本体部に取り付けられた施錠装置に形成された下側ロック爪を示す斜視図である。
【図１３】受け部と施錠装置との係合状態を側面方向から示す図である。
【図１４】施錠装置に設けられた上側ロック爪と受け部に設けられた上側係合部との係合状態を示す図である。
【図１５】施錠装置の第２の可動錠板をスライド移動させたときの上側ロック爪と上側係合部との関係を示す図である。
【図１６】施錠装置の第２の可動錠板を図１５に示す場合よりもさらにスライド移動させたときの上側ロック爪と上側係合部との関係を示す図である。
【図１７】施錠装置の第２の可動錠板を図１６に示す場合よりもさらにスライド移動させて前面枠が開いたときのたときの上側ロック爪と上側係合部との関係を示す図である。
【符号の説明】
【００７７】
１  パチンコ遊技機（遊技機）
２  遊技盤
２ａ  遊技領域
３  遊技機本体（ベース枠）
３ａ  遊技機本体部
３ｂ  枠体
３ｃ  ヒンジ
４  上皿部
４ａ  上皿
５  下皿部
５ｂ  下皿
６  カバー
８  シャッタレバー
８ａ，８ｂ  スピーカ
７  発射ハンドル
９  ガラス扉
１２  一般入賞口
１３  通過ゲート
１４  始動入賞口
１５  大入賞口
１６  アウト口
１７  始動入賞口
１８  電動役物構成部材
２１  液晶表示装置（ＬＣＤ）
２１ａ  表示領域
２５  移動補助部材
２５ａ  移動補助部材用貫通孔
２６  扉ベース
２６ａ  開口
２７  装飾部材
２８  受け部
２８−１  ベース部
２８ａ  長尺細板部
２８ｂ  短尺細板部
２８ｃ  湾曲板部
２９  補強板
２９ａ  ヒンジピン
３０  ガラス板取付枠
３０ａ  開閉側ガラス板取付枠
３０ｂ  回動軸側ガラス取付枠
３０ｃ  下部側ガラス取付枠
３１  突設部
３４  施錠装置
３４ａ  基枠
３４ａ−１  シリンダ錠
３４ａ−２  開口
３５  上側ロック爪（ロック爪）
３５ａ  平板部
３５ｂ  鉤部
３５ｃ  傾斜部
３６  中央ロック爪（ロック爪）
３６ｂ  鉤部
３６ｃ  傾斜部
３７  下側ロック爪（ロック爪）
３７ｂ  鉤部
３７ｃ  傾斜部
３８  第１の可動錠板
３８ａ，３８ｂ  係合爪
３９  第２の可動錠板
３９ａ  操作片
４０  上側係合部（係合部）
４０−１  当接部
４１  中央係合部（係合部）
４１−１  当接部
４２  下側係合部（係合部）
４２−１  当接部
４３  ガラス板
５０  前面枠
Ａ１  当接位置
Ａ２  係合位置
【図１】
2007029338.tif 000003
【図２】
2007029338.tif 000004
【図３】
2007029338.tif 000005
【図４】
2007029338.tif 000006
【図５】
2007029338.tif 000007
【図６】
2007029338.tif 000008
【図７】
2007029338.tif 000009
【図８】
2007029338.tif 000010
【図９】
2007029338.tif 000011
【図１０】
2007029338.tif 000012
【図１１】
2007029338.tif 000013
【図１２】
2007029338.tif 000014
【図１３】
2007029338.tif 000015
【図１４】
2007029338.tif 000016
【図１５】
2007029338.tif 000017
【図１６】
2007029338.tif 000018
【図１７】
2007029338.tif 000019